(57)【要約】【課題】温度センサ保持部および温湿度センサ保持部が良好な検出環境にてセンサを保持できるようにする。【解決手段】センサホルダは、台座部（２１）と、台座部（２１）上での空気の流れの経路に設けられ、温度センサを台座部（２１）の上面よりも高い位置にて支持する温度センサ保持部（２２）、温湿度センサを台座部（２１）の上面よりも高い位置にて支持する温湿度センサ保持部（２３）とを備える。【選択図】図５
2020098050.tif 000002
【特許請求の範囲】
【請求項１】
台座部と、
前記台座部上での空気の流れの経路に設けられ、前記台座部から突出した温度センサ支持部を有し、前記温度センサ支持部により温度センサを前記台座部の上面よりも高い位置にて支持する温度センサ保持部と、
前記台座部上での空気の流れの経路に設けられ、前記台座部から突出した温湿度センサ支持部を有し、前記温湿度センサ支持部により温湿度センサを前記台座部の上面よりも高い位置にて支持する温湿度センサ保持部とを備えていることを特徴とするセンサホルダ。
【請求項２】
前記温度センサ保持部は、前記温度センサの側部を両側から挟み込むように対向する両側支持部を有することを特徴とする請求項１に記載のセンサホルダ。
【請求項３】
前記温度センサ保持部による前記温度センサの保持位置と、前記温湿度センサ保持部による前記温湿度センサの保持位置とは、前記台座部の上面と垂直な方向において互いに重なり合う位置であることを特徴とする請求項１または２に記載のセンサホルダ。
【請求項４】
前記台座部の上面に対して開閉可能に設けられた蓋部を備え、
前記台座部は、前記台座部を貫通し、センサホルダの内部と外部との通気を行う台座部通気口を有し、
前記温度センサ保持部による前記温度センサの保持位置、および前記温湿度センサ保持部による前記温湿度センサの保持位置は、いずれも前記台座部通気口に対向してセンサ本体部が存在する位置であり、
前記蓋部は、前記台座部通気口と対向する位置に蓋部通気口を有していることを特徴とする請求項１から３のいずれか１項に記載のセンサホルダ。
【請求項５】
前記台座部の上面に対して開閉可能に設けられた蓋部を備え、
前記台座部は、前記台座部を貫通し、センサホルダの内部と外部との通気を行う台座部通気口を有し、
前記温度センサ保持部による前記温度センサの保持位置、および前記温湿度センサ保持部による前記温湿度センサの保持位置は、いずれも前記台座部通気口に対向してセンサ本体部が存在する位置であり、
前記蓋部は、前記温度センサおよび前記温湿度センサの前記センサ本体部とは対向しない位置に蓋部通気口を有していることを特徴とする請求項１から３のいずれか１項に記載のセンサホルダ。
【請求項６】
請求項１から５のいずれか１項に記載のセンサホルダを備え、前記センサホルダに温度センサまたは温湿度センサが取り付けられている空気調和機。
【発明の詳細な説明】
【技術分野】
【０００１】
本発明は、温度センサや温湿度センサを保持するセンサホルダおよびそれを備えた空気調和機に関する。
【背景技術】
【０００２】
従来、エアーコンディショナ（以下、単にエアコンと称する）や空気清浄機等の空気調和機は、内部に温度センサまたは温湿度センサを備えている。空気調和機は、製品のグレードや用途に応じて、温度センサまたは温湿度センサのいずれか一方を備えおり、これらセンサは、空気調和機の内部に設けられたセンサホルダ（センサ固定装置）に取り付けられている。
【０００３】
例えば特許文献１には、空気調和機において、温度センサを温度センサ専用のセンサホルダに取り付けた構成が開示されている。
【先行技術文献】
【特許文献】
【０００４】
【特許文献１】特開２０１０−１１２６４１号公報
【発明の概要】
【発明が解決しようとする課題】
【０００５】
しかしながら、特許文献１が開示するセンサホルダは、温度センサ専用のセンサホルダであるため、温度センサとは異なる形状の温湿度センサを取り付けることができない。このため、空気調和機は、温湿度センサを必要とする場合には、温度センサ用のセンサホルダとは別の温湿度センサ用のセンサホルダを備える必要がある。
【０００６】
また、センサホルダが温度センサを保持する温度センサ保持部、および温湿度センサを保持する温湿度センサ保持部を有する構成であったとしても、それらセンサ保持部には、空気が流れやすい環境であるなど、良好な検出環境にて温度センサまたは温湿度センサを保持することが求められる。
【０００７】
本発明の一態様は、温度センサ保持部および温湿度センサ保持部を有し、それらセンサ保持部が良好な検出環境にてセンサを保持することができるセンサホルダおよびそれを備えた空気調和機の提供を目的とする。
【課題を解決するための手段】
【０００８】
上記の課題を解決するために、本発明の一態様に係るセンサホルダは、台座部と、前記台座部上での空気の流れの経路に設けられ、前記台座部から突出した温度センサ支持部を有し、前記温度センサ支持部により温度センサを前記台座部の上面よりも高い位置にて支持する温度センサ保持部と、前記台座部上での空気の流れの経路に設けられ、前記台座部から突出した温湿度センサ支持部を有し、前記温湿度センサ保持部により温湿度センサを前記台座部の上面よりも高い位置にて支持する温湿度センサ保持部とを備えている。
【発明の効果】
【０００９】
本発明の一態様によれば、温度センサ保持部および温湿度センサ保持部は、良好な検出環境にてセンサを保持することができる。
【図面の簡単な説明】
【００１０】
【図１】本実施形態のエアコン室内機の正面図である。
【図２】図１におけるＡ−Ａ断面図である。
【図３】図１に示したエアコン室内機の、オープンパネルが開状態の正面図である。
【図４】図１に示したエアコン室内機の、吹出し口ルーバが開状態の斜視図である。
【図５】図２に示したセンサホルダの、台座部に対して蓋部を開いた状態の斜視図である。
【図６】図５に示したセンサホルダの、台座部に温度センサを取り付けた状態の斜視図である。
【図７】図７の(ａ)は、図５に示した台座部に温度センサを取り付け、台座部に対して蓋部を閉じた状態のセンサホルダを長手方向に平行な面で切った場合の縦断面、図７の(ｂ)は、図７の(ａ)の状態のセンサホルダを長手方向に垂直な面で切った場合の縦断面である。
【図８】図５に示したセンサホルダにおける、台座部に温湿度センサを取り付けた状態の斜視図である。
【図９】図９の(ａ)は、図５に示した台座部に温湿度センサを取り付け、台座部に対して蓋部を閉じた状態のセンサホルダを長手方向に平行な面で切った場合の縦断面、図９の(ｂ)は、図９の(ａ)の状態のセンサホルダを長手方向に垂直な面で切った場合の縦断面である。
【図１０】図５に示したセンサホルダにおける、台座部に対して蓋部を閉じた状態の平面図である。
【図１１】図２に示したエアコン室内機での空気の流れを示す説明図である。
【図１２】本発明の他の実施形態のセンサホルダの台座部の構成を示す側面図である。
【図１３】図１３の(ａ)は、本発明のさらに他の実施形態のセンサホルダの、台座部に対して蓋部を閉じた状態の平面図、図１３の(ｂ)は図１３の(ａ)に示したセンサホルダの右側面、図１３の(ｃ)は図１３の(ａ)に示したセンサホルダの左側面である。
【図１４】図１３に示したセンサホルダの台座部に温湿度センサを取り付け、台座部に対して蓋部を閉じた状態のセンサホルダを長手方向に平行な面で切った場合の縦断面である。
【図１５】図１４に示したセンサホルダ内での空気の流れを示す説明図である。
【図１６】図１４に示したセンサホルダ内での空気の流れを示す斜視図である。
【発明を実施するための形態】
【００１１】
〔実施形態１〕
以下、本発明の一実施形態について、詳細に説明する。
【００１２】
（エアコン室内機１の構成の概要）
図１は、本実施形態のエアコン室内機１の正面図である。図２は、図１におけるＡ−Ａ断面図である。図３は、エアコン室内機１の、オープンパネルが開状態の正面図である。図４は、エアコン室内機１の、吹出し口ルーバが開状態の斜視図である。
【００１３】
図１から図４に示すように、エアコン室内機（空気調和機）１は、筐体部１１、オープンパネル１２および吹出し口ルーバ１３を有している。オープンパネル１２は手動により開閉可能であり、吹出し口ルーバ１３はモータ（図示せず）に駆動されて自動的に開閉される。
【００１４】
エアコン室内機１は、図２に示すように、上部に吸込み口１４を有し、前面側の下部に吹出し口１５を有し、内部に熱交換器１６、ファン１７およびセンサホルダ１８を有する。エアコン室内機１では、吹出し口ルーバ１３が開状態となり、ファン１７が回転することにより、吸込み口１４から吸い込まれた空気は、熱交換器１６を通過し、吹出し口１５から吹き出される。この場合、吸込み口１４から吸い込まれた空気は、センサホルダ１８の周りおよび内部も通過する。
【００１５】
（センサホルダ１８の概要）
図５は、センサホルダ１８の、台座部２１に対して蓋部３１を開いた状態の斜視図である。図６は、センサホルダ１８の、台座部２１に温度センサ４１を取り付けた状態の斜視図である。図７の(ａ)は、台座部２１に温度センサ４１を取り付け、台座部２１に対して蓋部３１を閉じた状態のセンサホルダ１８を長手方向に平行な面で切った場合の縦断面、図７の(ｂ)は、図７の(ａ)の状態のセンサホルダ１８を長手方向に垂直な面で切った場合の縦断面である。図８は、台座部２１に温湿度センサ５１を取り付けた状態のセンサホルダ１８の斜視図である。図９の(ａ)は、台座部２１に温湿度センサ５１を取り付け、台座部２１に対して蓋部３１を閉じた状態のセンサホルダ１８を長手方向に平行な面で切った場合の縦断面、図９の(ｂ)は、図９の(ａ)の状態のセンサホルダ１８を長手方向に垂直な面で切った場合の縦断面である。図１０は、台座部２１に対して蓋部３１を閉じた状態のセンサホルダ１８の平面図である。
【００１６】
図５に示すように、センサホルダ１８は、樹脂にて形成され、台座部２１と蓋部３１とを有する。台座部２１と蓋部３１とはヒンジとして機能する連結部１８ａにて連結され、台座部２１に対して蓋部３１を開閉可能となっている。
【００１７】
台座部２１は、平板の上に種々の突起を有する形状である。蓋部３１は、台座部２１に対して閉じた状態において台座部２１の上面側を覆うように、凸状に膨らんだ形状である。詳細には、蓋部３１の外形は、長手方向と直交する面で切った縦断面が左右の斜辺および平坦な上辺を有するほぼ山形である。台座部２１は、温度センサ４１を保持する温度センサ保持部２２、および温湿度センサ５１を保持する温湿度センサ保持部２３を有する。
【００１８】
台座部２１には、連結部１８ａと反対側の端縁部に嵌合凸部２５が形成され、蓋部３１には、台座部２１に対して蓋部３１を閉じた状態において、台座部２１の嵌合凸部２５が嵌入される嵌合穴３２が形成されている。センサホルダ１８では、嵌合穴３２に嵌合凸部２５が嵌入されることにより、台座部２１に対して蓋部３１を閉じた状態が維持される。
【００１９】
（温度センサ４１および温湿度センサ５１の構成）
温度センサ４１は、図６に示すように、円形棒状のセンサ本体部４２、およびセンサ本体部４２の端部から延びるリード部４３を有する。温湿度センサ５１は、図７に示すように、センサ基板５２、センサ基板５２上に取り付けられたセンサ本体部５３を有する。
【００２０】
（温度センサ保持部２２の構成）
温度センサ保持部２２は、両側支持部６１、中央支持部（温度センサ支持部）６２、後端支持部（温度センサ支持部）６３およびリード支持部６４を有している。これら両側支持部６１、中央支持部６２、後端支持部６３およびリード支持部６４は、台座部２１の上面から突出した状態にて、温度センサ４１の長手方向（センサホルダ１８の長手方向）に並んでいる。
【００２１】
両側支持部６１は、温度センサ４１のセンサ本体部４２の先端部（リード部４３側とは反対側端部）付近を左右方向から挟み込むように支持する。これにより、両側支持部６１は、横方向（台座部２１の幅方向）へのセンサ本体部４２の移動を阻止する。両側支持部６１は、対向するリブにて形成され、温度センサ４１のセンサ本体部４２の配置位置の左右位置において、台座部２１の上面から上方へ突出している。なお、両側支持部６１は、温湿度センサ保持部２３の基板下面支持部７１としても機能する。
【００２２】
中央支持部６２は、温度センサ４１のセンサ本体部４２を台座部２１の上面から持ち上げるように、センサ本体部４２の中央部付近を下方から支持する。後端支持部６３は、同様に、温度センサ４１のセンサ本体部４２を台座部２１の上面から持ち上げるように、センサ本体部４２の後端部（リード部４３側端部）付近を下方から支持する。これら中央支持部６２および後端支持部６３は、台座部２１の上面から上方へ突出したリブにて形成されており、上端部がセンサ本体部４２の外周面の形状に対応して、凹状に湾曲している。
【００２３】
リード支持部６４は、台座部２１の上面から上方へ突出した対向するリブにて形成され、温度センサ４１のリード部４３を左右方向から挟み込むように支持する。これにより、リード支持部６４は、横方向（台座部２１の幅方向）へのリード部４３の移動を阻止する。
【００２４】
なお、本実施形態において、温度センサ保持部２２は、２個のリブ（中央支持部６２および後端支持部６３）にてセンサ本体部４２を台座部２１の上面から持ち上げて保持するようにしている。しかしながら、温度センサ保持部２２は、１個（例えば中央支持部６２のみ）あるいは３個以上のリブによってセンサ本体部４２を保持する構成であってもよい。
【００２５】
（温湿度センサ保持部２３の構成）
温湿度センサ保持部２３は、基板下面支持部（温湿度センサ支持部）７１および基板上面押え部７２の組を一対有している。これら基板下面支持部７１および基板上面押え部７２は、台座部２１の長手方向の一端側と他端側とにおいて、台座部２１から突出した状態に設けられている。
【００２６】
基板下面支持部７１は、台座部２１上において、温湿度センサ５１のセンサ基板５２の下面を支持する。基板上面押え部７２は、基板下面支持部７１にて下面を支持されたセンサ基板５２の上面を押さえる。このように温湿度センサ保持部２３は、基板下面支持部７１と基板上面押え部７２とによりセンサ基板５２を挟み込み、台座部２１上において温湿度センサ５１を保持する。この場合、温湿度センサ５１のセンサ本体部５３の位置は、台座部２１の上面と垂直な方向において、センサ本体部５３が温度センサ４１のセンサ本体部４２と重なり合う位置である。
【００２７】
（温度センサ保持部２２と温湿度センサ保持部２３との位置関係）
台座部２１上における温度センサ保持部２２と温湿度センサ保持部２３との位置関係は、温湿度センサ保持部２３の一対の基板下面支持部７１および基板上面押え部７２の間に温度センサ保持部２２が存在する。また、温湿度センサ保持部２３による温湿度センサ５１の保持位置は、温度センサ保持部２２による温度センサ４１の保持位置よりも高い位置である。
【００２８】
（台座部通気口２４、蓋部通気口３３）
台座部２１は、温度センサ保持部２２の両側支持部６１、中央支持部６２、後端支持部６３およびリード支持部６４の周りに台座部通気口２４を有している。台座部通気口２４は、台座部２１を貫通した多数の開口であり、センサホルダ１８の内部と外部とを通気させる。
【００２９】
蓋部３１は、台座部通気口２４と対向する位置に蓋部通気口３３を有している。具体的には、蓋部通気口３３は、蓋部３１の山形の左右の斜辺に対応する側壁、および上辺に対応する上壁に形成されている。蓋部通気口３３は、台座部通気口２４と同様、蓋部３１を貫通した多数の開口であり、センサホルダ１８の内部と外部とを通気させる。蓋部通気口３３の位置は、台座部通気口２４と対向する位置であり、また、温度センサ保持部２２により保持された温度センサ４１のセンサ本体部４２、および温湿度センサ保持部２３により保持された温湿度センサ５１のセンサ本体部５３と対向する位置である。
【００３０】
（エアコン室内機１の動作）
図１１は、エアコン室内機１での空気の流れを示す説明図である。
【００３１】
上記の構成において、センサホルダ１８は、温度センサ４１または温湿度センサ５１のいずれか一方を保持した状態にて、図２、図３および図１１に示すように、エアコン室内機１に取り付けられる。
【００３２】
図１１に示すように、エアコン室内機１の空気調和動作では、ファン１７が回転し、吹出し口ルーバ１３が開状態となる。ファン１７が回転すると、吸込み口１４から空気が吸い込まれ、この空気は、熱交換器１６を通過し、吹出し口１５から吹き出される。この場合、吸込み口１４から吸い込まれた空気は、センサホルダ１８の周りおよび内部を通過する。
【００３３】
（センサホルダ１８での空気の流れ）
センサホルダ１８の内部を流れる空気は、図１０に示すように、主に、山形の蓋部３１の上側の側壁の蓋部通気口３３からセンサホルダ９１内へ入り込む。また、上記空気の一部は、蓋部３１の上壁の蓋部通気口３３からセンサホルダ９１内へ入り込む。センサホルダ９１へ入り込んだ空気は、蓋部３１の下側の側壁の蓋部通気口３３や台座部通気口２４から出て行く。
【００３４】
これにより、センサホルダ１８が温度センサ保持部２２に温度センサ４１を保持している場合、温度センサ４１は、センサホルダ１８の内部を流れる空気の温度を検出する。また、センサホルダ１８が温湿度センサ保持部２３に温湿度センサ５１を保持している場合、温湿度センサ５１はセンサホルダ１８の内部を流れる空気の温度および湿度を検出する。
【００３５】
（センサホルダ１８の利点）
センサホルダ１８は、温度センサ保持部２２および温湿度センサ保持部２３を有しているので、エアコン室内機１において温度センサ４１が必要な場合および温湿度センサ５１が必要な場合に応じて、いずれか一方のセンサを保持することができる。
【００３６】
また、センサホルダ１８での台座部２１上における温度センサ保持部２２と温湿度センサ保持部２３との位置関係は、温湿度センサ保持部２３の一対の基板下面支持部７１および基板上面押え部７２の間に温度センサ保持部２２が存在する状態である。すなわち、温度センサ保持部２２による温度センサ４１の保持位置と、温湿度センサ保持部２３による温湿度センサ５１の保持位置とは、台座部２１の上面と垂直な方向において互いに重なり合う位置である。これにより、台座部２１上における温度センサ保持部２２および温湿度センサ保持部２３に必要な領域を小さくすることができ、センサホルダ１８を小型化することができる。
【００３７】
また、センサホルダ１８では、台座部通気口２４は、温度センサ保持部２２の両側支持部６１、中央支持部６２、後端支持部６３およびリード支持部６４の周りに形成され、蓋部通気口３３は、台座部通気口２４と対向する位置に形成されている。すなわち、センサホルダ１８が温度センサ４１を保持している場合、温度センサ４１のセンサ本体部４２は台座部通気口２４の上方に存在し、台座部通気口２４および蓋部通気口３３と対向している。同様に、センサホルダ１８が温湿度センサ５１を保持している場合、温湿度センサ５１のセンサ本体部５３は、台座部通気口２４の上方に存在し、台座部通気口２４および蓋部通気口３３と対向している。したがって、温度センサ保持部２２および温湿度センサ保持部２３は、台座部２１上での空気の流れの経路に設けられ、センサホルダ１８は、温度センサ４１または温湿度センサ５１に対して、良好な通気状態を形成することができる。
【００３８】
また、センサホルダ１８の温度センサ保持部２２では、温度センサ４１のセンサ本体部４２を中央支持部６２および後端支持部６３にて、台座部２１の上面から持ち上げて保持している。同様に、センサホルダ１８の温湿度センサ保持部２３では、温湿度センサ５１を基板下面支持部７１にて台座部２１の上面から持ち上げて保持している。これにより、温度センサ保持部２２にて温度センサ４１を保持した場合に、温度センサ４１のセンサ本体部４２の全周を空気が流れ易く、温度センサ４１は、センサ本体部４２の全周にて温度を検知することができる。また、温湿度センサ保持部２３にて温湿度センサ５１を保持した場合に、温湿度センサ５１のセンサ本体部５３の周りを空気が流れ易くなる。すなわち、温度センサ保持部２２は良好な検出環境にて温度センサ４１を保持することができ、温湿度センサ保持部２３は、同様に、良好な検出環境にて温湿度センサ５１を保持することができる。この結果、温度センサ４１および温湿度センサ５１は、検出精度を向上することができる。
【００３９】
また、センサホルダ１８の温度センサ保持部２２では、両側支持部６１により温度センサ４１のセンサ本体部４２の先端部付近を左右方向から挟み込むように支持する。これにより、温度センサ保持部２２は、横方向（台座部２１の幅方向）へのセンサ本体部４２の移動を阻止し、センサ本体部４２を安定に保持することができる。この結果、温度センサ４１は安定した検出動作を行うことができる。
【００４０】
また、センサホルダ１８は、温度センサ４１または温湿度センサ５１を台座部２１および蓋部３１にて覆うようになっている。これにより、センサホルダ１８内の温度センサ４１または温湿度センサ５１にユーザの指が容易には触れ難くなっている。
【００４１】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００４２】
（センサホルダ８１の構成）
図１２は、本実施形態のセンサホルダ８１の台座部２１の構成を示す側面図である。
【００４３】
本実施形態のセンサホルダ８１は、センサホルダ１８の温度センサ保持部２２に代えて、温度センサ保持部８２を有している。
【００４４】
図１２に示すように、温度センサ保持部８２は、温度センサ４１のセンサ本体部４２を支持する支持部として、両側支持部６１、中央支持部６２および後端支持部６３に加えて、先端支持部６５を有している。先端支持部６５は、両側支持部６１と中央支持部６２との間における両側支持部６１に近い位置に存在し、温度センサ４１のセンサ本体部４２を持ち上げるように、センサ本体部４２の先端部付近を下方から支持する。先端支持部６５は、中央支持部６２および後端支持部６３と同様、台座部２１の上面から上方へ突出したリブにて形成され、上端部がセンサ本体部４２の外周面の形状に対応して、凹状に湾曲している。
【００４５】
温度センサ保持部８２の先端支持部６５、中央支持部６２および後端支持部６３は、前述した温度センサ保持部２２の中央支持部６２および後端支持部６３よりも高さが高くなっている。これにより、温度センサ保持部８２では、温湿度センサ保持部２３が温湿度センサ５１を保持する領域に温度センサ４１を保持するようになっている。
【００４６】
（センサホルダ８１の利点）
センサホルダ８１の温度センサ保持部８２は、温度センサ保持部２２の温湿度センサ保持部２３よりも高い位置にて温度センサ４１を保持するようになっている。これにより、温度センサ４１の下方の空気の流れは温度センサ保持部２２に温度センサ４１を取り付けた場合よりも円滑になる。したがって、温度センサ４１に対してさらに良好な検知環境を提供することができる。センサホルダ８１のその他の利点はセンサホルダ１８と同様である。
【００４７】
〔実施形態３〕
本発明のさらに他の実施形態について、以下に説明する。なお、説明の便宜上、上記実施形態にて説明した部材と同じ機能を有する部材については、同じ符号を付記し、その説明を繰り返さない。
【００４８】
（センサホルダ９１の構成）
図１３の(ａ)は、本実施形態のセンサホルダ９１の台座部２１に対して蓋部３１を閉じた状態の平面図、図１３の(ｂ)は図１３の(ａ)に示したセンサホルダ９１の右側面、図１３の(ｃ)は図１３の(ａ)に示したセンサホルダ９１の左側面である。図１４は、台座部２１に温湿度センサ５１を取り付け、台座部２１に対して蓋部３１を閉じた状態のセンサホルダ９１を長手方向に平行な面で切った場合の縦断面である。図１５は、図１４に示したセンサホルダ９１内での空気の流れを示す説明図である。図１６は、図１４に示したセンサホルダ９１内での空気の流れを示す斜視図である。
【００４９】
センサホルダ９１は、センサホルダ９１の長手方向において、台座部２１の台座部通気口２４とは反対側の位置に蓋部３１の蓋部通気口３３を有している。このような蓋部通気口３３の位置は、温度センサ保持部２２による温度センサ４１のセンサ本体部４２の保持位置、および温湿度センサ保持部２３による温湿度センサ５１のセンサ本体部５３の保持位置とは反対側の位置であり、蓋部通気口３３が温度センサ４１のセンサ本体部４２および温湿度センサ５１のセンサ本体部５３と対向しない位置である。なお、センサホルダ９１では、蓋部通気口３３の数は、センサホルダ１８，８１よりも少なくなっている。
【００５０】
（センサホルダ９１での空気の流れ）
図１６に示すように、センサホルダ９１内を流れる空気は、センサホルダ１８，８１の場合と同様、主に、山形の蓋部３１の上側の側壁の蓋部通気口３３からセンサホルダ９１内へ入り込む。また、上記空気の一部は、蓋部３１の上壁の蓋部通気口３３からセンサホルダ９１内へ入り込む。
【００５１】
センサホルダ９１へ入り込んだ空気の一部は、蓋部３１の下側の側壁の蓋部通気口３３から出て行く。また、センサホルダ９１へ入り込んだ空気の残りは、図１５に破線の矢印にて示すように、センサホルダ９１内を台座部通気口２４の方向へ移動し、台座部通気口２４から出て行く。
【００５２】
これにより、センサホルダ１８が温度センサ保持部２２に温度センサ４１を保持している場合、温度センサ４１は、センサホルダ１８の内部を流れる空気の温度を検出する。また、センサホルダ１８が温湿度センサ保持部２３に温湿度センサ５１を保持している場合、温湿度センサ５１はセンサホルダ１８の内部を流れる空気の温度および湿度を検出する。
【００５３】
（センサホルダ９１の利点）
センサホルダ９１は、センサホルダ９１の長手方向において、温度センサ保持部２２による温度センサ４１のセンサ本体部４２の保持位置、および温湿度センサ保持部２３による温湿度センサ５１のセンサ本体部５３の保持位置とは反対側の位置に蓋部通気口３３を有している。すなわち、蓋部通気口３３の位置は、温度センサ４１のセンサ本体部４２および温湿度センサ５１のセンサ本体部５３とは対向しない位置である。これにより、蓋部３１の蓋部通気口３３の位置には、温度センサ４１のセンサ本体部４２、および温湿度センサ５１のセンサ本体部５３が存在せず、蓋部通気口３３を通じてユーザの指が温度センサ４１や温湿度センサ５１のセンサ本体部４２，５３に触れることがない。センサホルダ９１のその他の利点はセンサホルダ１８と同様である。
【００５４】
〔まとめ〕
本発明の態様１に係るセンサホルダは、台座部と、前記台座部上での空気の流れの経路に設けられ、前記台座部から突出した温度センサ支持部を有し、前記温度センサ支持部により温度センサを前記台座部の上面よりも高い位置にて支持する温度センサ保持部と、前記台座部上での空気の流れの経路に設けられ、前記台座部から突出した温湿度センサ支持部を有し、前記温湿度センサ支持部により温湿度センサを前記台座部の上面よりも高い位置にて支持する温湿度センサ保持部とを備えている。
【００５５】
本発明の態様２に係るセンサホルダは、上記態様１において、前記温度センサ保持部は、前記温度センサの側部を両側から挟み込むように対向する両側支持部を有する構成としてもよい。
【００５６】
本発明の態様３に係るセンサホルダは、上記態様１または２において、前記温度センサ保持部による前記温度センサの保持位置と、前記温湿度センサ保持部による前記温湿度センサの保持位置とは、前記台座部の上面と垂直な方向において互いに重なり合う位置である構成としてもよい。
【００５７】
本発明の態様４に係るセンサホルダは、上記態様１から３のいずれか１態様において、  前記台座部の上面に対して開閉可能に設けられた蓋部を備え、前記台座部は、前記台座部を貫通し、センサホルダの内部と外部との通気を行う台座部通気口を有し、前記温度センサ保持部による前記温度センサの保持位置、および前記温湿度センサ保持部による前記温湿度センサの保持位置は、いずれも前記台座部通気口に対向してセンサ本体部が存在する位置であり、前記蓋部は、前記台座部通気口と対向する位置に蓋部通気口を有している構成としてもよい。
【００５８】
本発明の態様５に係るセンサホルダは、上記態様１から３のいずれか１態様において、前記台座部の上面に対して開閉可能に設けられた蓋部を備え、前記台座部は、前記台座部を貫通し、センサホルダの内部と外部との通気を行う台座部通気口を有し、前記温度センサ保持部による前記温度センサの保持位置、および前記温湿度センサ保持部による前記温湿度センサの保持位置は、いずれも前記台座部通気口に対向してセンサ本体部が存在する位置であり、前記蓋部は、前記温度センサおよび前記温湿度センサの前記センサ本体部とは対向しない位置に蓋部通気口を有している構成としてもよい。
【００５９】
本発明の態様６に係る空気調和機は、上記態様１から５のいずれか１態様のセンサホルダを備え、前記センサホルダに温度センサまたは温湿度センサが取り付けられている。
【００６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６１】
１    エアコン室内機（空気調和機）
１４    吸込み口
１５    吹出し口
１６    熱交換器
１７    ファン
１８，８１，９１    センサホルダ
１８ａ  連結部
２１    台座部
２２，８２    温度センサ保持部
２３    温湿度センサ保持部
２４    台座部通気口
３１    蓋部
３３    蓋部通気口
４１    温度センサ
４２    センサ本体部
４３    リード部
５１    温湿度センサ
５２    センサ基板
５３    センサ本体部
６１    両側支持部
６２    中央支持部（温度センサ支持部）
６３    後端支持部（温度センサ支持部）
６４    リード支持部
７１    基板下面支持部（温湿度センサ支持部）
７２    基板上面押え部
【図１】
2020098050.tif 000003
【図２】
2020098050.tif 000004
【図３】
2020098050.tif 000005
【図４】
2020098050.tif 000006
【図５】
2020098050.tif 000007
【図６】
2020098050.tif 000008
【図７】
2020098050.tif 000009
【図８】
2020098050.tif 000010
【図９】
2020098050.tif 000011
【図１０】
2020098050.tif 000012
【図１１】
2020098050.tif 000013
【図１２】
2020098050.tif 000014
【図１３】
2020098050.tif 000015
【図１４】
2020098050.tif 000016
【図１５】
2020098050.tif 000017
【図１６】
2020098050.tif 000018